(57)【要約】      （修正有）【課題】ティッシュペーパーの束を容易かつ確実に装着可能であると共に、短手方向に幅狭のティッシュケースを提供する。【解決手段】ティッシュケース２は、ボックス本体１０と、開口から挿入されるインナー部材２０、３０と、インナー部材３０をボックス本体１０に支持するフック部３１と、を備え、フック部３１が、端縁部１１に対し弾発的に付勢して係合する。インナー部材３０は、弾性変形可能な硬質の板材より形成され、真中線を中心に曲げられることで相対向する第１の板部と第２の板部とを含み、真中線と平行な線状の薄肉部３５が形成され、先端にフック部３１が形成される。端縁部１１に、ボックス本体１０の長手方向に沿って突起部を形成し、フック部３１に、突起部と係合固着される線状の溝部を形成することができる。【選択図】図３
2011111168.tif 000002
【特許請求の範囲】
【請求項１】
収納したティッシュペーパーを取り出し可能とするティッシュケースであって、
底部を開口し、該底部の対面にティッシュペーパーの取出口を備えたボックス本体と、
前記ティッシュペーパーの束を内包しながら、前記開口から挿入されて前記ボックス本体に収容されるインナー部材と、
前記インナー部材の先端に設けられ、前記取出口の端縁部に係合して前記ティッシュペーパーの束と共に前記インナー部材を前記ボックス本体に支持するフック部と、
を備え、
前記フック部が、前記端縁部に対し弾発的に付勢して係合するものであることを特徴とするティッシュケース。
【請求項２】
前記インナー部材は、弾性変形可能な硬質の板材より形成され、前記板材は真中線を中心に二つに曲げられることで相対向する第１の板部と第２の板部とを含み、前記第１の板部及び前記第２の板部に前記真中線と平行な線状の薄肉部が形成され、前記第１の板部の先端及び前記第２の板部の先端に前記フック部が形成されたことを特徴とする請求項１に記載のティッシュケース。
【請求項３】
前記端縁部には、前記ボックス本体の長手方向に沿って線状の突起部が形成され、前記フック部には、該突起部と係合固着される線状の溝部が形成されている請求項１又は２に記載のティッシュケース。
【請求項４】
前記インナー部材が、硬質ポリプロピレン、硬質ポリエチレン、ＡＢＳ樹脂から選ばれる一種である請求項１乃至３のうちのいずれか１項に記載のティッシュケース。
【請求項５】
前記ボックス本体が、弾性変形可能な軟質材で形成されている請求項１乃至４のうちのいずれか１項に記載のティッシュケース。
【請求項６】
前記軟質材が、熱可塑性エラストマーである請求項５に記載のティッシュケース。
【発明の詳細な説明】
【技術分野】
【０００１】
本発明は、ティッシュケースに関する。更に詳しくは、ティッシュペーパーの束を容易かつ確実に装着可能であると共に、短手方向に幅狭のティッシュケースに関する。
【背景技術】
【０００２】
ティッシュペーパーは通常、上部に取出口を有する、直方体形の硬質の紙製ケースに収納されており、取出口より１枚ずつ取り出して使用するものである。
近年、環境保護と経済性の観点から、この紙製のケースを使用しないで、ティッシュペーパーの束を、軟質薄手の樹脂素材からなる袋に収納した状態で市販されているものが多くなってきている。
このティッシュペーパーは、袋の中央上部に付けられたミシン目部分を開いて取り出して、そのまま使用することができる。しかし、袋に収納されたままでは、ティッシュペーパーの束全体としての安定感に欠け、また外観形状も美感を有するものではない。
【０００３】
そこで、ティッシュペーパーの束全体の形状を安定的に収納するティッシュケースが提案されている（例えば、特許文献１参照。）。
特許文献１のティッシュケースは、ティッシュペーパーの平面形状に合わせた長方形の底面を有する容器に、ティッシュペーパーの束を収納し、その上から、開口部を設けた落し蓋式の中押さえ板を載置する構成としている。こうすることで、ティッシュペーパーの束を安定的に保持することができると共に、ティッシュペーパーを取出しやすくすることができる。
【先行技術文献】
【特許文献】
【０００４】
【特許文献１】特開平７−２５７６６７号公報
【発明の概要】
【発明が解決しようとする課題】
【０００５】
しかし、特許文献１のティッシュケースでは、ティッシュペーパーの束をそのまま載置するため、短手方向の幅が通常の市販のティッシュペーパーケースと同様であり、幅広である。そのため、幅の狭い台上に置くと安定しないという欠点がある。
また、立てて使用するのは、中押さえ板が脱落しやすいため好ましくない。
【０００６】
本発明は、上記従来の問題を解決するものであり、ティッシュペーパーの束を容易かつ確実に装着可能であると共に、短手方向に幅狭のティッシュケースを提供することを解決すべき課題としている。
【課題を解決するための手段】
【０００７】
本発明は、以下の通りである。
１．収納したティッシュペーパーを取り出し可能とするティッシュケースであって、
底部を開口し、該底部の対面にティッシュペーパーの取出口を備えたボックス本体と、
前記ティッシュペーパーの束を内包しながら、前記開口から挿入されて前記ボックス本体に収容されるインナー部材と、
前記インナー部材の先端に設けられ、前記取出口の端縁部に係合して前記ティッシュペーパーの束と共に前記インナー部材を前記ボックス本体に支持するフック部と、
を備え、
前記フック部が前記端縁部に対し弾発的に付勢して係合するものであることを特徴とするティッシュケース。
２．前記インナー部材は、弾性変形可能な硬質の板材より形成され、前記板材は真中線を中心に二つに曲げられることで相対向する第１の板部と第２の板部とを含み、前記第１の板部及び前記第２の板部に前記真中線と平行な線状の薄肉部が形成され、前記第１の板部の先端及び前記第２の板部の先端に前記フック部が形成されたことを特徴とする１．に記載のティッシュケース。
３．前記端縁部には、前記ボックス本体の長手方向に沿って線状の突起部が形成され、前記フック部には、該突起部と係合固着される線状の溝部が形成されている１．又は２．に記載のティッシュケース。
４．前記インナー部材は、硬質ポリプロピレン、硬質ポリエチレン、ＡＢＳ樹脂から選ばれる一種である１．乃至３．のうちのいずれか１項に記載のティッシュケース。
５．前記ボックス本体は、弾性変形可能な軟質材で形成されている１．乃至４．のうちのいずれか１項に記載のティッシュケース。
６．前記軟質材は、熱可塑性エラストマーである５．に記載のティッシュケース。
【発明の効果】
【０００８】
本発明のティッシュケースによれば、ボックス本体の開口に、インナー部材の先端に設けたフック部を、取出口の端縁部に弾発的に付勢して係合するため、ティッシュペーパーの束を容易かつ確実に装着可能である。また、ティッシュペーパーの束をインナー部材で二つに曲げるようにして内包するため、短手方向の厚さを小さくすることができ、ティッシュケース全体として、短手方向に幅狭とすることができる。
【０００９】
また、インナー部材は、弾性変形可能な硬質の板材より形成され、板材は真中線を中心に二つに曲げられることで相対向する第１の板部と第２の板部とを含み、第１の板部及び第２の板部に真中線と平行な線状の薄肉部が形成され、第１の板部の先端及び第２の板部の先端にフック部が形成されている場合には、薄肉部がヒンジとしての役割を果たし、インナー部材の外面がボックス本体の内面に沿って取り付けられるため、インナー部材をボックス本体に対して安定的に取り付けることができる。また、ティッシュペーパーを取り出す空間を広く確保することができるため、取り出しをスムーズに行うことができる。
【００１０】
さらに、端縁部に、ボックス本体の長手方向に沿って線状の突起部が形成され、フック部には、突起部と係合固着される線状の溝部が形成されている場合には、より確実に、インナー部材のフック部をボックス本体の取出口に、取り付けることができる。
【００１１】
また、インナー部材が、硬質ポリプロピレン、硬質ポリエチレン、ＡＢＳ樹脂から選ばれる一種である場合には、より強度的に優れたものとなる。
さらに、ボックス本体が、弾性変形可能な軟質材で形成されている場合には、耐衝撃性に優れるため、使用に際して安全であり、また、置き場所を傷つけることもない。
また、軟質材が、熱可塑性エラストマーであるある場合には、特に加工性に優れ、射出成形により一体成形することが容易である。
【図面の簡単な説明】
【００１２】
【図１】本発明の実施例に係るティッシュケースの模式断面図である。
【図２】本発明の実施例に係るインナー部材の模式断面図である。
【図３】本発明の他の実施例に係るティッシュケースの模式断面図である。
【図４】本発明の他の実施例に係るインナー部材の模式平面図である。
【図５】本発明の実施例に係り、インナー部材の取付構造を示す模式断面図である。
【図６】本発明の他の実施例に係り、インナー部材の取付構造を示す模式断面図である。
【図７】本発明の実施例に係るティッシュケースにおいて、インナー部材にティッシュペーパーの束を内包する方法を示す説明図である。
【図８】本発明の実施例に係るティッシュケースにおいて、ティッシュペーパーを内包したインナー部材をボックス本体に装着する方法を示す説明図である。
【図９】本発明の実施例に係るティッシュケースにおいて、ティッシュペーパーを内包したインナー部材をボックス本体に装着した状態を示す模式的斜視図である。
【図１０】本発明の更に他の実施例に係るティッシュケースを示す模式的斜視図である。
【図１１】本発明の実施例にかかるティッシュケースの置き場所の一例を示す説明図である。
【図１２】本発明の実施例にかかるティッシュケースの置き場所の他例を示す説明図である。
【発明を実施するための形態】
【００１３】
以下図１〜１１を参照しながら本発明を詳しく説明する。尚、本発明は、かかる図に記載された具体例に示すものに限られず、目的、用途に応じて種々変更したものとすることができる。
【００１４】
本発明のティッシュケースは、収納したティッシュペーパーを取り出し可能とするティッシュケースであって、底部を開口し、該底部の対面にティッシュペーパーの取出口を備えたボックス本体と、前記ティッシュペーパーの束を内包しながら、前記開口から挿入されて前記ボックス本体に収容されるインナー部材と、前記インナー部材の先端に設けられ、前記取出口の端縁部に係合して前記ティッシュペーパーの束と共に前記インナー部材を前記ボックス本体に支持するフック部と、を備え、前記フック部が前記端縁部に対し弾発的に付勢して係合するものであることを特徴とする。
【００１５】
例えば、本発明の実施形態に係るティッシュケース１は、図１に示すように、底部を開口し、底部の対面にティッシュペーパーの取出口１５を備えたボックス本体１０と、ティッシュペーパーの束５０を内包しながら、開口１６から挿入されてボックス本体１０に収容されるインナー部材２０と、インナー部材２０の先端に設けられ、取出口の端縁部１１に係合してティッシュペーパーの束５０と共にインナー部材２０をボックス本体１０に支持するフック部２１と、を備え、フック部２１が端縁部１１に対し弾発的に付勢して係合するものである。
【００１６】
［１］ボックス本体
前記「ボックス本体」は、底部を開口し、底部の対面にティッシュペーパーの取出口を備えており、取出口には、前記インナー部材のフック部が係合する端縁部を備えている。この構成をしていれば、ボックス本体の形状に特に限定はなく様々な形状とすることができる。
例えば、ティッシュケース１に係るボックス本体１０は、直方体形状を基本としつつ、取出口側は、長手方向の断面形状が、上部に凸状の円形をしている。こうすることで、取出口付近が丸みをおびているため、ティッシュペーパーを取り出しやすい。また外観上、美感を有するものとなる。
【００１７】
ボックス本体は、図１に示すように、ティッシュペーパーの束５０を二つに曲げて収納しているため、短手方向に幅狭とすることができる。こうすることで、幅狭の置き場所にも容易に、安定的に備えることができる。
例えば、図１１に示すように、ベッド５のヘッドボード５１の上面５１ａの幅が狭くても、載置できる。また、立てて置くことにより、奥行きの狭い置き場所にも備えることができる。例えば、図１２に示すように、机７のテーブル面７ａにおいて、モニター８とパソコン本体９の間の狭い空間に、ティッシュケース１を立てて置くことにより、すっきりと収納でき、テーブル上での作業の妨げにならない。
【００１８】
ボックス本体は、上記の構成の他に更に、他の構成を付加することもできる。例えば、
図１０に示すティッシュケース３は、取出口に馬蹄形の突出部１８を備えており、インナーケースのフック部３１の上端と突出部１８の上端とを面一とすることで更に意匠性に優れる形態を醸し出している。
ボックス本体の材質は特に限定はなく、合成樹脂製、木製、金属製等で形成することができるが合成樹脂製であることが好ましい。
【００１９】
合成樹脂製素材の中でも、弾性変形可能な軟質材であることが更に好ましい。弾性変形可能な軟質材であれば、使用に際して安全性が高く、置き場所に傷付けることも防ぐことができる。また、軟質材であれば滑りにくく安定して載置することができる。例えば、図１１に示すように、ティッシュケース１をベッド５のヘッドボード５１の上面５１ａに載置した場合、ボックス本体が軟質材であれば、滑落しにくく、万一頭上付近に落下しても、怪我をするおそれが少ない。
【００２０】
前記合成樹脂は熱可塑性エラストマーであることが好ましい。熱可塑性エラストマーであれば、射出成形が容易であり、ボックス本体を一体成形により、効率的に製造することができる。
この熱可塑性エラストマーの例としては、ポリオレフィン系、ポリスチレン系、ポリウレタン系、ポリエステル系及びポリアミド系等が挙げられる。これらのうちでポリオレフィン系エラストマーが、より好ましい。
【００２１】
前記「開口」は、ボックス本体底部に設けられ、ティッシュペーパーの束を内包したンナー部材を挿入する入り口である。このインナー部材が挿入できれば、開口部の大きさは特に限定はなく、底部の一部が開口していてもよく、図１に示す開口１６のように底部全体が開口していてもよい。
【００２２】
前記「取出口」は、ティッシュペーパーの取出口であり、底部の対面に設けられている。そして、取出口の端縁部には、インナー部材の先端に設けられたフック部が弾発的に付勢して係合し、インナー部材をボックス本体に支持する。例えば、図１に示すように、取出口１５の端縁部１１に、インナー部材２０の先端に設けられたフック部２１が弾発的に付勢して係合することにより、インナー部材２０をボックス本体１０に支持している。
前記「端縁部」には、ボックス本体の長手方向に沿って線状の突起部が形成され、フック部に形成された線状の溝部と係合固着されることが好ましい。この構成については、後述する。
【００２３】
［２］インナー部材
前記「インナー部材」は、ティッシュペーパーの束を内包しながら、前記開口から挿入されて前記ボックス本体に収容される部材である。
例えば図７に示すように、インナー部材３０は、右手７０Ｒと左手７０Ｌによって、ティッシュペーパーの束５０を内包しながら、図８に示すように開口１６から挿入され、図９に示すように、ボックス本体１０に収容される。そして、ティッシュペーパー５０ａをボックス本体１０の内部から取り出すことができる。
【００２４】
前記「フック部」は、インナー部材の先端に設けられ、取出口の端縁部に係合してティッシュペーパーの束と共にインナー部材をボックス本体に支持する。例えば、図１に示すフック部２１は、インナー部材２０の先端に設けられ、取出口１５の端縁部１１に係合して、ティッシュペーパーの束５０と共にインナー部材２０をボックス本体に支持する。
【００２５】
フック部は、端縁部に対して弾発的に付勢して係合する。インナー部材２０は、ボックス本体１０に取り付け前は、図２に示すように拡開した状態である。そして、ボックス本体１０に取り付けに際して、フック部２１が端縁部１１に係合することにより、図１に示すように上部が窄んだ形状を成す。こうすることで、インナー部材２０をボックス本体１０に確実に固定することができる。フック部は、端縁部に対して弾発的に付勢して係合する構造であれば、材質、形状等は特に限定はないが、図５に示すように、フック部２１の下面２１ａが端縁部１１の上面と全面的に当接することが好ましい。更に、フック部２１の側面２１ｂが端縁部１１の側面と全面的に当接することが好ましい。こうすることで、フック部２１を確実に端縁部１１に固定することができる。
【００２６】
インナー部材は、弾性変形可能な硬質の板材より形成され、板材は真中線を中心に二つに曲げられることで相対向する第１の板部と第２の板部とを含み、第１の板部及び第２の板部に真中線と平行な線状の薄肉部が形成され、第１の板部の先端及び第２の板部の先端にフック部が形成されていることが好ましい。
例えば、図４に示すインナー部材３０は、弾性変形可能な硬質の板材より形成され、板材は真中線３０ｃを中心に二つに曲げられることで相対向する第１の板部３０ａと第２の板部３０ｂとを含み、第１の板部３０ａ及び第２の板部３０ｂに真中線３０ｃと平行な線状の薄肉部３５が形成され、第１の板部３０ａの先端及び第２の板部３０ｂの先端にフック部３１が形成されている。
【００２７】
インナー部材の材質としては、硬質ポリプロピレン、硬質ポリエチレン、ＡＢＳ樹脂、ポリスチレン、ポリエチレンテレフタレート、ポリブチレンテレフタレート、ポリカーボネートなどが挙げられる。これらのうちでも硬質ポリプロピレン、硬質ポリエチレン、ＡＢＳ樹脂のうちから選ばれる一種であることが好ましく、硬質ポリプロピレンであることが更に好ましい。硬質ポリプロピレンであれば粘り強さに特に優れているため、内包したティッシュペーパーの束を、特に確実に、ボックス本体に安定的に取り付けることができる。また、硬質ポリプロピレンであれば、より安価であるため、コスト的にも有利である。
【００２８】
前記「薄肉部」は、インナー部材の他の部分より薄肉の部分であり、第１の板部及び第２の板部に真中線と平行な線状に形成されている。
例えば、図４に示すように、薄肉部３５は、第１の板部３０ａ及び第２の板部３０ｂの真中線３０ｃと平行な線状に形成されている。
図４に示すように、インナー部材３０は、薄肉部３５を境に曲率が大きくなるように更に拡開している。そのため、薄肉部３５の内面３５ａ及び外面３５ｂは屈曲している。
そして図３に示すように、インナー部材３０をボックス本体１０に、フック部３１を介して取り付けるに際しては、この薄肉部３５は、ヒンジとしての役割を果たし、薄肉部３５を回転中心として、インナー部材３０の上部が内側に回転移動する。
こうすることで、薄肉部３５は、ほぼ真直となり、インナー部材３０の上部は、ボックス本体１０の内面に沿った状態で安定的に固定される。また、ティッシュペーパー５０ａを取り出す空間を広く確保することができるため、取り出しをスムーズに行うことができる。
【００２９】
図４に示すように、第２の板部３０ｂの先端にフック部３１が形成されている。フック部３１には、線状の溝部３１ｂが形成されており、図６に示すように、ボックス本体１０の端縁部１１に形成された線状の突起部１１ａと溝部３１ｂが係合固着される構造をとっている。更に、フック部２１の下面２１ａが端縁部１１の上面と当接し、フック部３１の側面３１ｃが端縁部１１の側面と当接するため、フック部３１を確実に端縁部１１に固定することができる。
【符号の説明】
【００３０】
１、２、３；ティッシュケース、１０；ボックス本体、１１；端縁部、１１ａ；突起部、１５；取出口、１６；開口、２０、３０；インナー部材、２１、３１；フック部、５０；ティッシュペーパーの束、５０ａ；ティッシュペーパー、３０ａ；第１の板部、３０ｂ；第２の板部、３０ｃ；真中線、３１ｂ；溝部、３５；薄肉部
【図１】
2011111168.tif 000003
【図２】
2011111168.tif 000004
【図３】
2011111168.tif 000005
【図４】
2011111168.tif 000006
【図５】
2011111168.tif 000007
【図６】
2011111168.tif 000008
【図７】
2011111168.tif 000009
【図８】
2011111168.tif 000010
【図９】
2011111168.tif 000011
【図１０】
2011111168.tif 000012
【図１１】
2011111168.tif 000013
【図１２】
2011111168.tif 000014